(57)【要約】【課題】室内環境を考慮しつつ効率的に省エネルギー化を図ることを目的とする。【解決手段】マルチ型空気調和機は、電力低減量と省エネ制御指令とが関連付けられた省エネマップを格納する記憶部１２と、現在の電力量と目標電力量とを用いて電力低減量を算出する電力低減量算出部１１と、電力低減量に対応する省エネ制御指令を省エネマップから取得する制御指令取得部１３と、取得した省エネ制御指令を実行する指令実行部１４とを備えている。一部の省エネ制御指令は、室外機に対する制御指令と、予め設定されている制御対象の室内機に対する制御指令とを含む複数の制御指令の組み合わせにより構成されている。指令実行部１４は、省エネ制御指令が複数の制御指令の組み合わせで構成されていた場合に、それら複数の制御指令を一括して実行する。【選択図】図２
2014126327.tif 000002
【特許請求の範囲】
【請求項１】
１台の室外機に複数の室内機が接続されたマルチ型空気調和機であって、
電力低減量と省エネ制御指令とが関連付けられた指令情報を格納する記憶手段と、
現在の電力量と目標電力量とを用いて、電力低減量を算出する電力低減量算出手段と、
電力低減量算出手段によって算出された電力低減量に対応する省エネ制御指令を前記指令情報から取得する制御指令取得手段と、
前記制御指令取得手段によって取得された前記省エネ制御指令を実行する指令実行手段と
を備え、
一部の前記省エネ制御指令は、前記室外機に対する制御指令と、予め設定されている制御対象の前記室内機に対する制御指令とを含む複数の制御指令の組み合わせにより構成されており、
前記指令実行手段は、前記省エネ制御指令が複数の制御指令の組み合わせで構成されていた場合に、それら複数の制御指令を一括して実行するマルチ型空気調和機。
【請求項２】
前記記憶手段には、前記室内機の運転容量に応じて、それぞれ異なる前記指令情報が格納されており、
前記制御指令取得手段は、現在の前記室内機の運転容量に対応する前記指令情報を用いて、前記電力低減量に対応する省エネ制御指令を取得する請求項１に記載のマルチ型空気調和機。
【請求項３】
前記記憶手段には、外気温度及び前記室内機の運転容量に応じてそれぞれ異なる前記指令情報が格納されており、
前記制御指令取得手段は、現在の外気温度と現在の前記室内機の運転容量とで決定される前記指令情報を用いて、前記電力低減量に対応する省エネ制御指令を取得する請求項２に記載のマルチ型空気調和機。
【請求項４】
前記記憶手段には、運転中の前記室内機における室内温度と設定温度との差、及び、前記室内機の運転容量に応じて、それぞれ異なる前記指令情報が格納されており、
前記制御指令取得手段は、現在の前記差と現在の前記室内機の運転容量とで決定される前記指令情報を用いて、前記電力低減量に対応する省エネ制御指令を取得する請求項２に記載のマルチ型空気調和機。
【請求項５】
各前記省エネ制御指令は、前記室外機の圧縮機回転数を低減させる第１制御指令、制御対象である所定の前記室内機の冷媒循環量を低下させる第２制御指令、及び制御対象である前記室内機をサーモオフ状態とする第３制御指令のうち、少なくとも１つを含む請求項１から請求項４のいずれかに記載のマルチ空気調和機。
【請求項６】
前記指令実行手段は、圧縮機がオンとオフとを繰り返すインチング状態が発生した場合に、前記第１制御指令と前記第２制御指令とを一括して実行する請求項５に記載のマルチ型空気調和機。
【請求項７】
１台の室外機に複数の室内機が接続されたマルチ型空気調和機の制御方法であって、
電力低減量と省エネ制御指令とが関連付けられた指令情報を予め記憶手段に格納しておき、
現在の電力量と目標電力量とを用いて電力低減量を算出する過程と、
前記電力低減量に対応する省エネ制御指令を前記指令情報から取得する過程と、
取得した前記省エネ制御指令を実行する過程と
を含み、
一部の前記省エネ制御指令は、前記室外機に対する制御指令と予め設定されている制御対象の前記室内機に対する制御指令とを含む複数の制御指令の組み合わせにより構成されており、
前記省エネ制御指令が複数の制御指令の組み合わせで構成されていた場合に、それら複数の制御指令を一括して実行するマルチ型空気調和機の制御方法。
【発明の詳細な説明】
【技術分野】
【０００１】
本発明は、１台の室外機に複数の室内機が並列に接続されるマルチ型空気調和機に係り、特に、ビルに設置されるマルチ型空気調和機及びその運転方法に関するものである。
【背景技術】
【０００２】
近年、ビル用のマルチ型空気調和機において省エネルギー化を図ることが要求されている。従来、マルチ型空気調和機における省エネルギー化を図るための運転制御方法として、例えば、特許文献１に開示される方法がある。
特許文献１には、デマンド計算時間毎に使用される予測電力量を演算し、演算した予測電力量がデマンド値を超える場合に、超える電力量に応じた間欠遮断時間を演算し、この間欠遮断時間に基づいて、マルチエアコンを間欠運転させることで、デマンド計算時間における電力量を目標電力量内に抑えることが開示されている。
【先行技術文献】
【特許文献】
【０００３】
【特許文献１】特開２００６−２９６９３号公報
【発明の概要】
【発明が解決しようとする課題】
【０００４】
しかしながら、上述した特許文献１では、電力低減のための制御手段は、間欠運転の一通りしかなく、場合によっては、室内環境を悪化させ、ユーザの快適性を大きく低下させる可能性があった。
【０００５】
本発明は、このような事情に鑑みてなされたものであって、室内環境を考慮しつつ効率的に省エネルギー化を図ることのできるマルチ型空気調和機及びその運転制御方法を提供することを目的とする。
【課題を解決するための手段】
【０００６】
本発明は、１台の室外機に複数の室内機が接続されたマルチ型空気調和機であって、電力低減量と省エネ制御指令とが関連付けられた指令情報を格納する記憶手段と、現在の電力量と目標電力量とを用いて電力低減量を算出する電力低減量算出手段と、電力低減量算出手段によって算出された電力低減量に対応する省エネ制御指令を前記指令情報から取得する制御指令取得手段と、前記制御指令取得手段によって取得された前記省エネ制御指令を実行する指令実行手段とを備え、一部の前記省エネ制御指令は、前記室外機に対する制御指令と、予め設定されている制御対象の前記室内機に対する制御指令とを含む複数の制御指令の組み合わせにより構成されており、前記指令実行手段は、前記省エネ制御指令が複数の制御指令の組み合わせで構成されていた場合に、それら複数の制御指令を一括して実行するマルチ型空気調和機を提供する。
【０００７】
本発明によれば、電力低減量に対して省エネ制御指令が関連付けられた指令情報が予め記憶手段に格納されており、この指令情報を用いて、現在の電力低減量に応じた省エネ制御指令が取得され、実行される。この場合において、一部の省エネ制御指令は、室外機に対する制御指令と、室内機の制御指令に対する制御指令とを含む複数の制御指令の組み合わせによって構成されるとともに、それら複数の制御指令が一括して実行される。このように、複数の運転制御方法を組み合わせて電力低減を図るので、効果的に電力を低減させることができる。
【０００８】
上記マルチ型空気調和機において、前記記憶手段には、前記室内機の運転容量に応じて、それぞれ異なる前記指令情報が格納されており、前記制御指令取得手段は、現在の前記室内機の運転容量に対応する前記指令情報を用いて、前記電力低減量に対応する省エネ制御指令を取得することとしてもよい。
【０００９】
室内機の運転容量に応じて、電力を効果的に低減させる制御指令が異なる。例えば、室内機の運転容量が大きければ、室外機の圧縮機回転数を低減させる制御を行えば、効率的に電力を低減させることができるが、室内機の運転容量が小さい場合に、室外機の圧縮機回転数を低減させても、電力低下の効果をそれほど期待することはできない。このように、室内機の運転容量に応じて電力を効果的に低下させる手法は異なることから、室内機の運転容量に応じてそれぞれ適切な省エネ制御指令が設定されている指令情報を設けておくことにより、更に効率的に電力を低下させることが可能となる。
【００１０】
上記マルチ型空気調和機において、前記記憶手段には、外気温度及び前記室内機の運転容量に応じてそれぞれ異なる前記指令情報が格納されており、前記制御指令取得手段は、現在の外気温度と現在の前記室内機の運転容量とで決定される前記指令情報を用いて、前記電力低減量に対応する省エネ制御指令を取得することとしてもよい。
【００１１】
電力低減効果は、外気温度によって異なる。したがって、外気温度もパラメータとして用いることにより、外気温度が変化した場合でも、適切な指令情報を選択することが可能となる。
【００１２】
上記マルチ型空気調和機において、前記記憶手段には、運転中の前記室内機における室内温度と設定温度との差、及び、前記室内機の運転容量に応じて、それぞれ異なる前記指令情報が格納されており、前記制御指令取得手段は、現在の前記差と現在の前記室内機の運転容量とで決定される前記指令情報を用いて、前記電力低減量に対応する省エネ制御指令を取得することとしてもよい。
【００１３】
電力低減効果は、室内機の室内温度と設定温度との差によって異なる。従って、室内機の室内温度と設定温度との差もパラメータとして用いることにより、これらのパラメータが変化した場合でも、適切な指令情報を選択することが可能となる。
【００１４】
上記マルチ型空気調和機において、各前記省エネ制御指令は、前記室外機の圧縮機回転数を低減させる第１制御指令、制御対象である所定の前記室内機の冷媒循環量を低下させる第２制御指令、及び制御対象である前記室内機をサーモオフ状態とする第３制御指令のうち、少なくとも１つを含むこととしてもよい。
【００１５】
このように、省エネの効果が異なる制御指令を組み合わせることにより、電力低減量に応じてそれぞれ効果的に電力を低減させることができる。
【００１６】
上記マルチ型空気調和機において、前記指令実行手段は、圧縮機がオンとオフとを繰り返すインチング状態が発生した場合に、前記第１制御指令と前記第２制御指令とを一括して実行することとしてもよい。
【００１７】
これにより、圧縮機のインチングが発生している場合には、第１制御指令によって圧縮機の回転数が低減させられるとともに、第２制御指令によって室内機の冷媒循環量が低下させられる。これにより、圧縮機のインチングが発生した場合でも適切な省エネ制御を実施することが可能となる。すなわち、インチング発生時においては、起動／停止に伴う圧縮機の損失が大きく、省エネルギーの効果が得られにくい。他方、インチング発生時には、熱負荷は小さいため、室内環境が悪化する可能性も低く、ユーザが不快に感じるおそれもない。従って、このような状況においては、第１制御指令の実行により、圧縮機の回転数を低減させるとともに、第２制御指令の実行によって、制御対象の室内機の過冷却度または過熱度を圧縮機の負荷が小さくなる方向に調整することにより、効果的に電力量の低減を図ることが可能となる。
【００１８】
本発明は、１台の室外機に複数の室内機が接続されたマルチ型空気調和機の制御方法であって、電力低減量と省エネ制御指令とが関連付けられた指令情報を予め記憶手段に格納しておき、現在の電力量と目標電力量とを用いて電力低減量を算出する過程と、前記電力低減量に対応する省エネ制御指令を前記指令情報から取得する過程と、取得した前記省エネ制御指令を実行する過程とを含み、一部の前記省エネ制御指令は、前記室外機に対する制御指令と予め設定されている制御対象の前記室内機に対する制御指令とを含む複数の制御指令の組み合わせにより構成されており、前記省エネ制御指令が複数の制御指令の組み合わせで構成されていた場合に、それら複数の制御指令を一括して実行するマルチ型空気調和機の制御方法を提供する。
【発明の効果】
【００１９】
本発明によれば、室内環境を考慮しつつ効率的に省エネルギー化を図ることができるという効果を奏する。
【図面の簡単な説明】
【００２０】
【図１】本発明の第１実施形態に係るマルチ型空気調和機の全体構成を概略的に示した図である。
【図２】本発明の第１実施形態に係る制御装置の機能ブロック図である。
【図３】省エネマップの一例を示した図である。
【図４】本発明の第１実施形態に係るマルチ型空気調和機の制御方法の処理手順を示した図である。
【図５】本発明の第２実施形態に係る制御装置の機能ブロック図である。
【図６】本発明の第２実施形態に係る省エネマップの一例を示した図である。
【図７】本発明の第２実施形態に係る省エネマップの一例を示した図である。
【図８】本発明の第２実施形態に係る省エネマップの一例を示した図である。
【図９】本発明の第２実施形態に係るマルチ型空気調和機の制御方法の処理手順を示した図である。
【図１０】本発明の第２実施形態に係るマルチ型空気調和機の制御方法の処理手順を示した図である。
【図１１】本発明の第３実施形態に係るマルチ型空気調和機の制御方法の処理手順を示した図である。
【発明を実施するための形態】
【００２１】
〔第１実施形態〕
以下に、本発明の第１実施形態に係るマルチ型空気調和機及びその制御方法について、図面を参照して説明する。
図１は、本実施形態に係るマルチ型空気調和機１の全体構成を概略的に示した図である。マルチ型空気調和機１は、１台の室外機２に対して、複数台の室内機３（３１、３２、３３）が並列に接続されているとともに、各室内機３１、３２、３３にそれぞれワイヤードリモコン（図示略）が接続された構成とされている。なお、室内機３の接続台数は、３台に限らず、任意の台数としてもよい。
【００２２】
室外機２０と室内機３１との間および各室内機３１、３２、３３同士間は、それぞれ通信線・冷媒配管を介して接続されている。更に、マルチ型空気調和機１は、室外機２０及び各室内機３１、３１、３３に対して制御指令を与える制御装置１０を備えている。例えば、制御装置１０は、室外機２に対して室外機２の制御指令を与えるとともに、室外機２を介して各室内機３１、３２、３３に制御指令を与えることにより、室内機３１、３２、３３を間接的に制御する。制御装置１０は、例えば、室外機２に対して空調管理者が指令を与えるための集中監視装置などに設けられており、外部ネットワークと接続してもよい。
【００２３】
制御装置１０は、所定のデマンド計算時間（例えば、３０分）における消費電力量を予め設定されている目標電力量以下に抑えるために、室外機２及び室内機３を所定の制御サイクルで制御する。制御サイクルは、デマンド計算時間における制御頻度により、任意に設定されるものであり、例えば、３分に設定される。また、制御サイクル毎に目標電力量が決められている。これは、例えば、デマンド計算時間におけるトータルの消費電力量が上記目標電力量を超えないように設定される。以下、制御サイクル毎に設定される目標電力量を「サイクル目標電力量」という。
【００２４】
制御装置１０は、例えば、コンピュータであり、図示しないＣＰＵ（中央演算装置）、ＲＡＭ（Random Access Memory）、及びコンピュータ読み取り可能な記録媒体等から構成されている。後述する各種機能を実現するための処理手順は、プログラムの形式で記録媒体等に記録されており、このプログラムをＣＰＵがＲＡＭ等に読み出して、情報の加工・演算処理を実行することにより、後述の各種機能が実現される。
【００２５】
図２は、制御装置１０の機能ブロック図を示した図である。
図２に示すように、制御装置１０は、電力低減量算出部１１、記憶部１２、制御指令取得部１３、指令実行部１４を備えている。
電力低減量算出部１１は、１制御サイクルにおける電力低減量ｘを算出する。すなわち、電力低減量ｘは、以下の（１）式で算出される。
【００２６】
電力低減量ｘ＝｛（現在のデマンド計算時間における電力量／サイクル目標電力量）−１｝×１００［％］      （１）
【００２７】
記憶部１２には、電力低減量ｘと該電力低減量ｘを達成するための省エネ制御指令とが関連付けられた省エネマップ（指令情報）が格納されている。図３は、省エネマップの一例を示した図である。図３に示すように、電力低減量ｘがＡ［％］以上Ｂ［％］未満（Ｂ＞Ａ）の場合には第１制御指令からなる省エネ制御指令が、電力低減量ｘがＢ［％］以上Ｃ［％］未満（Ｃ＞Ｂ）の場合には第１制御指令と第２制御指令とからなる省エネ制御指令が、電力低減量ｘがＣ［％］以上の場合には第１制御指令、第２制御指令、及び第３制御指令からなる省エネ制御指令が設定されている。
【００２８】
ここで、第１制御指令、第２制御指令、第３制御指令は以下の通り設定されている。
（ａ）第１制御指令：室外機の圧縮機回転数を低減させる。
（ｂ）第２制御指令：制御対象である所定の室内機の過熱度または過冷却度を低下させる。
（ｃ）第３制御指令：制御対象である所定の室内機をサーモオフ状態とする。
【００２９】
第１制御指令は、例えば、室外機２の圧縮機に対する回転数指令を直接的に与えることとしてもよいし、圧縮機の運転圧力を所定値まで増減（すなわち、冷房時には増加、暖房時には低減）させることにより、間接的に低減させることとしてもよい。室外機２の圧縮機の回転数を低減させることで、消費電力を効果的に低下させることができる。このように、第１制御指令は、室外機２を制御することから、システム全体の省エネルギー化を図るものである。
【００３０】
第２制御指令は、制御対象として設定されている所定の室内機（例えば、室内機２１、２２）の過熱度または過冷却度を低下させることにより、個々の室内機での冷媒の循環量を低減させることで圧縮機の回転数を低減し、消費電力の低減を図る。第２制御指令によれば、各室内機３１、３２、３３を個別に制御できるので、例えば、冷房または暖房効果が低下し、室内環境が悪化しても問題が生じない室内に取り付けられている室内機３１、３２を制御対象とし、室内環境の悪化が好ましくない室内に取り付けられている室内機３３については制御対象から外すことができる。このように、第２制御指令は、制御対象とする室内機３を選定できる点で優れている。
過熱度または過冷却度の低下は、例えば、室内機３１、３２、３３にそれぞれ設けられている膨張弁（図示略）の弁開度を閉める方向に制御することで実現される。
【００３１】
第３制御指令は、制御対象として設定されている所定の室内機（例えば、室内機２１、２２）を強制的にサーモオフ、すなわち、ファンは動いているが、冷媒が流れていない状態とする。第３制御指令は、例えば、各室内機３１、３２、３３に対して設けられている膨張弁（図示略）を冷房の場合には全閉とする制御指令を出力することで実現される。また、暖房の場合にはサーモオン時に比べて相対的に小さい弁開度とする制御指令を出力することで実現する。
この第３制御指令も第２制御指令と同じく、制御対象とする室内機３を選定できる点で優れている。これにより、（ｉ）第２制御指令も第３制御指令も許可しない室内機、（ｉｉ）第２制御指令は許可するが第３制御指令は許可しない室内機、（ｉｉｉ）第２制御指令も第３制御指令も許可する室内機の混在が可能となる。
【００３２】
制御指令取得部１３は、電力低減量算出部１１によって算出された電力低減量に対応する省エネ制御指令を図３に示した省エネマップから取得する。
指令実行部１４は、制御指令取得部１３によって取得された省エネ制御指令を実行する。ここで、指令実行部１４は、省エネ制御指令が複数の制御指令の組み合わせで構成されている場合には、それら複数の制御指令を一括して実行する。
【００３３】
すなわち、電力低減量ｘがＢ［％］以上Ｃ［％］未満（Ｃ＞Ｂ）の場合には第１制御指令と第２制御指令とが一括して実行されることにより、室外機の圧縮機回転数が低減させられるとともに、第２制御指令の制御対象とされている室内機の過熱度または過冷却度が低下させられる。
また、電力低減量ｘがＣ［％］以上の場合には、第１制御指令、第２制御指令、及び第３制御指令が一括して実行される。これにより、室外機の圧縮機回転数が低減させられるとともに、第２制御指令及び第３制御指令を許可している室内機についてはサーモオフ状態とされ、第２制御指令は許可しているが第３制御指令は許可していない室内機については、過熱度または過冷却度が低下させられることとなる。
【００３４】
次に、本実施形態に係る制御装置１０により実行される処理について図４を参照して説明する。図４は、本実施形態に係る制御装置１０によって、デマンド計算時間毎に繰り返し実行される処理の手順を示した図である。
【００３５】
まず、現在のデマンド計算時間における電力量とサイクル目標電力量とを比較し（ステップＳＡ１）、続いて、上記（１）式を用いて電力低減量ｘを算出する（ステップＳＡ２）。次に、電力低減量ｘが、Ａ［％］以上Ｂ［％］未満であるかを判定する（ステップＳＡ３）。この結果、電力低減量ｘが、Ａ［％］以上Ｂ［％］未満であった場合には、図３に示した省エネ制御マップから省エネ制御指令として（ａ）第１制御指令を取得し、第１制御指令を実行する（ステップＳＡ４）。
【００３６】
一方、ステップＳＡ３において、電力低減量ｘが、Ａ［％］以上Ｂ［％］未満でなかった場合には、ステップＳＡ５に移行し、電力低減量ｘがＢ［％］以上Ｃ［％］未満であるか否かを判定する。この結果、電力低減量ｘが、Ｂ［％］以上Ｃ［％］未満であった場合には、図３に示した省エネ制御マップから省エネ制御指令として（ａ）第１制御指令＋（ｂ）第２制御指令を取得し、第１制御指令と第２制御指令とを一括して実行する（ステップＳＡ６）。一方、ステップＳＡ５において、電力低減量ｘが、Ｂ［％］以上Ｃ［％］未満でなかった場合には、図３に示した省エネ制御マップから省エネ制御指令として（ａ）第１制御指令＋（ｂ）第２制御指令＋（ｃ）第３制御指令を取得し、これら制御指令を一括して実行する（ステップＳＡ７）。
【００３７】
このようにして、電力低減量に応じた省エネ制御指令が１制御サイクルに渡って実行されると（ステップＳＡ８において「ＹＥＳ」）、ステップＳＡ９において、現在のデマンド計算時間が終了したか否かを判定する。この結果、デマンド計算時間が終了していなかった場合には、ステップＳＡ１に戻り、次の制御サイクルにおける処理が開始される。例えば、デマンド計算時間が３０分、１制御サイクルが３分の場合には、上記処理が１０回繰り返し行われることとなる。
このようにして、各制御サイクルにおける省エネ制御指令に基づく制御が繰り返し行われ、デマンド計算時間が終了すると、ステップＳＡ１０において「ＹＥＳ」と判断し、本処理を終了する。
【００３８】
以上説明したように、本実施形態に係るマルチ型空気調和機１によれば、デマンド計算時間における消費電力量を目標電力量以下に抑制するために必要とされる電力低減量を制御サイクル毎に算出し、算出した電力低減量に対応する省エネ制御指令を省エネマップから取得し、取得した省エネ制御指令を実行する。これにより、電力低減量に応じた適切な制御指令に基づいて効果的に電力を低下させることが可能となる。また、省エネ制御指令が複数の制御指令で構成されている場合には、それら複数の制御指令を一括して実行するので、電力低減を短時間で図ることができる。
【００３９】
なお、本実施形態において、電力低減量に応じて、室外機の圧縮機回転数の低下量を調整することとしてもよいし、室内機の過熱度または過冷却度を調整することとしてもよい。また、第２制御指令及び第３制御指令においては、電力低減量に応じて、制御対象とする室内機の台数を調整することとしてもよい。このように、制御指令を調整することにより、細やかな電力低減の調整が可能となる。
【００４０】
〔第２実施形態〕
次に、本発明の第２実施形態に係るマルチ型空気調和機について説明する。本実施形態に係るマルチ型空気調和機は、室内機３の運転容量に応じてそれぞれ異なる省エネマップが設けられており、室内機３の運転容量に対応する省エネマップを用いて電力低減量に対応する省エネ制御指令を取得する点で、上述した第１実施形態に係るマルチ型空気調和機１と異なる。
以下、上述した第１実施形態と共通する点については説明を省略し、異なる点について主に説明する。
【００４１】
図５は、本実施形態に係る制御装置１０´の機能ブロック図を示した図である。図５に示すように、本実施形態に係る制御装置１０´は上述した第１実施形態と略同様の機能ブロックを備えるが、記憶部１２´に格納されている情報、制御指令取得部１３´による処理が上述した第１実施形態と異なる。
具体的には、記憶部１２´には、図６から図８に示すように、室内機３の運転容量ｙに対応付けられて、それぞれ異なる省エネマップＩ，ＩＩ，ＩＩＩが格納されている。例えば、室内機運転容量ｙがＦ［％］以上である場合には省エネマップＩ（図６参照）が、室内機運転容量がＧ［％］以上Ｆ［％］未満の場合には省エネマップＩＩ（図７参照）が、室内機運転容量がＧ［％］未満の場合には省エネマップＩＩＩ（図８参照）が対応付けられている。
【００４２】
省エネマップＩは、図６に示すように、電力低減量ｘがＡ［％］以上Ｂ［％］未満（Ｂ＞Ａ）の場合には第１制御指令からなる省エネ制御指令が、電力低減量ｘがＢ［％］以上Ｃ［％］未満（Ｃ＞Ｂ）の場合には第１制御指令と第２制御指令とからなる省エネ制御指令が、電力低減量ｘがＣ［％］以上の場合には第１制御指令、第２制御指令、及び第３制御指令からなる省エネ制御指令が設定されている。すなわち、省エネマップＩは、上述した第１実施形態における省エネマップと同一である。
【００４３】
省エネマップＩＩは、図７に示すように、電力低減量ｘがＨ［％］以上Ｉ［％］未満（Ｉ＞Ｈ）の場合には第２制御指令からなる省エネ制御指令が、電力低減量ｘがＩ［％］以上Ｊ［％］未満（Ｉ＞Ｊ）の場合には第２制御指令と第１制御指令とからなる省エネ制御指令が、電力低減量ｘがＪ［％］以上の場合には第２制御指令、第１制御指令、及び第３制御指令からなる省エネ制御指令が設定されている。
【００４４】
省エネマップＩＩＩは、図８に示すように、電力低減量ｘがＫ［％］以上Ｌ［％］未満（Ｌ＞Ｋ）の場合には第２制御指令からなる省エネ制御指令が、電力低減量ｘがＬ［％］以上の場合には第２制御指令と第３制御指令とからなる省エネ制御指令が、電力低減量ｘがＪ［％］以上の場合には第２制御指令、第１制御指令、及び第３制御指令からなる省エネ制御指令が設定されている。
【００４５】
室内機３の運転容量が比較的小さい場合、室外機２の目標圧力を低減させてもこれによる電力低減の効果があまり得られない。従って、室内機３の運転容量が小さい場合、すなわち、室内機運転容量がＦ［％］未満の場合には、室外機２の目標圧力を低減させる第１制御指令よりも、制御対象となる室内機３の過熱度・過冷却度を低減させる第２制御指令を優先させることとしている。
【００４６】
次に、本実施形態に係る制御装置１０´により実行される処理について図９及び図１０を参照して説明する。図９及び図１０は、本実施形態に係る制御装置１０´によって、デマンド計算時間毎に繰り返し実行される処理のフローチャートを示した図である。
【００４７】
まず、現在のデマンド計算時間における電力量とサイクル目標電力量とを比較する（ステップＳＢ１）。続いて、電力低減量ｘを算出する（ステップＳＢ２）。次に、室内機運転容量がＦ［％］以上か否かを判定する（ステップＳＢ３）。Ｆ［％］以内であれば、記憶部２０´から省エネマップＩ（図６参照）を取得する（ステップＳＢ４）。これにより、省エネマップＩに基づく省エネ制御指令の取得が行われる。具体的には、ステップＳＢ２において算出した電力低減量ｘが、Ａ［％］以上Ｂ［％］未満であるかを判定する（ステップＳＢ５）。この結果、Ａ［％］以上Ｂ［％］未満であった場合には（ステップＳＢ５において「ＹＥＳ」）、（ａ）第１制御指令を取得し、第１制御指令を実行する（ステップＳＢ６）。
【００４８】
一方、ステップＳＢ５において、電力低減量ｘがＡ［％］以上Ｂ［％］未満でなかった場合には、電力低減量ｘがＢ［％］以上Ｃ［％］未満であるか否かを判定する（ステップＳＢ７）。この結果、電力低減量ｘがＢ［％］以上Ｃ［％］未満であった場合には、省エネ制御指令として（ａ）第１制御指令＋（ｂ）第２制御指令を取得し、第１制御指令と第２制御指令とを一括して実行する（ステップＳＢ８）。
【００４９】
また、ステップＳＢ７において、電力低減量ｘがＢ［％］以上Ｃ［％］未満でなかった場合には、省エネ制御指令として（ａ）第１制御指令＋（ｂ）第２制御指令＋（ｃ）第３制御指令を取得し、これら制御指令を一括して実行する（ステップＳＢ９）。
【００５０】
他方、ステップＳＢ３において、室内機運転容量がＦ［％］以上でなかった場合には、図１０のステップＳＢ１０に移行し、室内機運転容量がＧ［％］以上Ｆ［％］未満であるかを判定する。この結果、室内機運転容量がＧ［％］以上Ｆ［％］未満であった場合には、記憶部２０´から省エネマップＩＩ（図７参照）を取得する（ステップＳＢ１１）。これにより、省エネマップＩＩに基づく省エネ制御指令の取得が行われる。具体的には、ステップＳＢ２において算出した電力低減量ｘが、Ｈ［％］以上Ｉ［％］未満であるかを判定する（ステップＳＢ１２）。この結果、電力低減量ｘがＨ［％］以上Ｉ［％］未満であった場合には、（ｂ）第２制御指令を取得し、第２制御指令を実行する（ステップＳＢ１３）。
【００５１】
また、ステップＳＢ１２において、電力低減量ｘがＨ［％］以上Ｉ［％］未満でなかった場合には、電力低減量ｘがＩ［％］以上Ｊ［％］未満であるか否かを判定する（ステップＳＢ１４）。この結果、Ｉ［％］以上Ｊ［％］未満であった場合には、省エネ制御指令として（ｂ）第２制御指令＋（ａ）第１制御指令を取得し、第２制御指令と第１制御指令とを一括して実行する（ステップＳＢ１５）。
【００５２】
一方、ステップＳＢ１４において、電力低減量ｘがＩ［％］以上Ｊ［％］未満でなかった場合には、省エネ制御指令として（ｂ）第２制御指令＋（ａ）第１制御指令＋（ｃ）第３制御指令を取得し、これら制御指令を一括して実行する（ステップＳＢ１６）。
【００５３】
また、ステップＳＢ１０において、室内機運転容量がＧ［％］以上Ｆ［％］未満でなかった場合には、記憶部２０´から省エネマップＩＩＩ（図８参照）を取得する（ステップＳＢ１７）。これにより、省エネマップＩＩＩに基づく省エネ制御指令の取得が行われる。具体的には、ステップＳＢ２において算出した電力低減量ｘが、Ｋ［％］以上Ｌ［％］未満であるかを判定する（ステップＳＢ１８）。この結果、電力低減量ｘがＫ［％］以上Ｌ［％］未満であった場合には、省エネ制御指令として（ｂ）第２制御指令を取得し、第２制御指令を実行する（ステップＳＢ１９）。一方、ステップＳＢ１８において、電力低減量ｘがＫ［％］以上Ｌ［％］未満でなかった場合には、省エネ制御指令として、（ｂ）第２制御指令＋（ｃ）第３制御指令を取得し、第２制御指令及び第３制御指令を一括して実行する（ステップＳＢ２０）。
【００５４】
このようにして、室内機運転容量及び電力低減量ｘに応じて決定される適切な省エネ制御指令を１制御サイクルに渡って実行すると（図９のステップＳＢ２１において「ＹＥＳ」）、続いて、現在のデマンド計算時間が終了したか否かを判定する（ステップＳＢ２３）。この結果、デマンド計算時間が終了していなかった場合には、ステップＳＢ１に戻り、ステップＳＢ１以降の制御を行うことで、次の制御サイクルにおける電力低減制御を行う。
一方、ステップＳＢ２３において、現在のデマンド計算時間が終了したと判定した場合には、本処理を終了する。
【００５５】
以上説明したように、本実施形態に係るマルチ型空気調和機によれば、電力低減量だけではなく、室内機運転容量も考慮して省エネ制御指令を決定するので、電力低減量と室内機運転容量との両面から電力低減に寄与する適切な制御指令を決定することが可能となる。
なお、電力低減効果は、外気温度、設定温度によって変化する。従って、外気温度に対応付けて上記室内機運転容量毎の省エネマップを用意し、記憶部２０´に格納しておくこととしてもよい。また、外気温度に代えて、運転中の各室内機３１、３２、３３における現在の室内温度と設定温度との差を用いることとしてもよい。この場合、運転中の室内機毎に現在の室内温度と設定温度との差が算出されるので、これらの平均値を採用したり、また、室内機毎に重み付けを設定し、重み付けを加味した値を算出することとしてもよい。
【００５６】
〔第３実施形態〕
次に、本発明の第３実施形態に係るマルチ型空気調和機について説明する。
本実施形態に係るマルチ型空気調和機は、上述した第１実施形態または第２実施形態と略同様であるが、圧縮機のインチング、すなわち、オンとオフとを繰り返す状態が発生した場合に、インチング発生用の省エネ制御指令に切り替える点が異なる。本実施形態では、圧縮機のインチング発生時においては、第１制御指令と第２制御指令とを一括して実行する。
【００５７】
本実施形態に係る制御装置が実行するフローチャートの一例を図１１に示す。図１１は、上述した第１実施形態に係るフローに対して、インチングに関する処理を追加したものである。具体的には、ステップＳＡ２の次のステップとして、インチングが発生しているか否かを判定するステップが設けられている（ステップＳＣ３）。ステップＳＣ３において、インチングが発生していないと判断した場合には、電力低減量ｘに基づく省エネ制御指令の取得が行われる（ステップＳＡ３〜ＳＡ７）。これに対し、インチングが発生していると判断した場合には、ステップＳＣ４において、省エネ制御指令として（ａ）第１制御指令と（ｂ）第２制御指令とを実行し、ステップＳＡ８に移行する。
【００５８】
上記のように、本実施形態に係るマルチ型空気調和機によれば、圧縮機のインチングが発生した場合でも適切な省エネ制御を実施することが可能となる。すなわち、インチング発生時においては、起動／停止に伴う圧縮機の損失が大きく、省エネルギーの効果が得られにくい。他方、インチング発生時には、熱負荷は小さいため、室内環境が悪化する可能性も低く、ユーザが不快に感じるおそれもない。従って、このような状況においては、（ａ）第１制御指令を実行することにより、圧縮機の回転数を低減させるとともに、制御対象の室内機の過冷却度または過熱度を圧縮機の負荷が小さくなる方向に調整することにより、効果的に電力量の低減を図ることが可能となる。
【００５９】
以上、本発明の各実施形態について説明したが、本発明は、上述の実施形態に限定されるものではなく、発明の要旨を逸脱しない範囲において上述した各実施形態を部分的または全体的に組み合わせる等して、種々変形実施が可能である。
【符号の説明】
【００６０】
１  マルチ型空気調和機
２  室外機
３（３１、３２、３３）  室内機
１０  制御装置
１１  電力低減量算出部
１２、１２´  記憶部
１３、１３´  制御指令取得部
１４  指令実行部
【図１】
2014126327.tif 000003
【図２】
2014126327.tif 000004
【図３】
2014126327.tif 000005
【図４】
2014126327.tif 000006
【図５】
2014126327.tif 000007
【図６】
2014126327.tif 000008
【図７】
2014126327.tif 000009
【図８】
2014126327.tif 000010
【図９】
2014126327.tif 000011
【図１０】
2014126327.tif 000012
【図１１】
2014126327.tif 000013